(57)【特許請求の範囲】
【請求項１】
鏡像を利用して車両に搭載される車両用搭載物の意匠を検討するための意匠検討装置であって、
縁部が前記車両用搭載物の一部の表面に沿って切欠かれた反射鏡と、
その反射鏡を保持するための保持フレームと、
その保持フレームを上下方向に移動可能に支持する支持機構と、
その支持機構が配設されるベースと、
そのベースの下部に付設された複数の車輪と
を備えることを特徴とする意匠検討装置。
【請求項２】
前記保持フレームが、
前記反射鏡を保持した状態で揺動させる揺動機構を有することを特徴とする請求項１に記載の意匠検討装置。
【請求項３】
前記車両用搭載物が、車両用シートであることを特徴とする請求項１または請求項２に記載の意匠検討装置。
【請求項４】
当該意匠検討装置が、
前記反射鏡と前記保持フレームと前記支持機構と前記ベースと前記複数の車輪との各々を１対備え、
１対の反射鏡の一方が、それの縁部が車両用シートの車両前方側の部分の表面に沿って切欠かれた形状とされるとともに、
１対の反射鏡の他方が、それの縁部が車両用シートの車両後方側の部分の表面に沿って切欠かれた形状とされることを特徴とする請求項３に記載の意匠検討装置。
【発明の詳細な説明】
【技術分野】
【０００１】
本発明は、意匠検討装置、詳しくは、鏡像を利用して車両に搭載される車両用搭載物の意匠を検討するための意匠検討装置に関する。
【背景技術】
【０００２】
車両には多くの物が搭載されており、その搭載物には、対称的な形状を含んでいるものがある。そのような対称的な形状を含んでいる車両用搭載物のデザインを検討する際には、搭載物全体を造形せずに、対称軸を含む半身の部分を造形し、その半身の部分を反射鏡等に映すことで、鏡像を利用して搭載物の全体意匠を検討する場合がある。下記特許文献には、鏡像を利用して、足のサイズを測定するための技術が記載されており、鏡像を利用した技術は種々の分野において活用されている。
【先行技術文献】
【特許文献】
【０００３】
【特許文献１】特開２００２−２９６０１１号公報
【発明の概要】
【発明が解決しようとする課題】
【０００４】
鏡像を利用して意匠が検討される車両用搭載物としては、例えば、車両用シートが良く知られている。車両用シートは、車両に搭載されるものとしては、比較的大きく、左右対称的な形状とされている。このため、造形作業の簡便化を図るべく、シートの半身のみを造形し、その半身のシートを反射鏡に映すことで、シートの全体の意匠を検討する手法が、従来より採用されている。
【０００５】
しかしながら、車両用シートは、搭載される車種毎に、ヒップポイント，トルソー角（水平面に対するシートバックの角度）等が異なっているため、検討対象のシート毎に、反射鏡を作製し、その反射鏡をシートに沿って配置させるためのフレーム等も作製する必要があり、非常に無駄が多かった。また、対象となるシート毎に、反射鏡，反射鏡をシートに沿って配置させるためのフレーム等の作製者が異なる場合があり、反射鏡のシートへの取付方法が標準化されず、反射鏡をシートに適切に取り付けることができない虞があった。さらに言えば、反射鏡と造形したシートモデルとが接触しないように、反射鏡をシートに取り付けるべく、複数の人によって取り付け作業が行われており、人手のかかる作業であった。このように、鏡像を利用して意匠を検討するための意匠検討装置は、改良の余地を多分に残すものとなっており、種々の改良を施すことによって、意匠検討装置の実用性を高くすることが可能である。本発明は、そのような実情に鑑みてなされたものであり、実用性の高い意匠検討装置を提供することを課題とする。
【課題を解決するための手段】
【０００６】
上記課題を解決するために、本願の請求項１に記載の意匠検討装置は、鏡像を利用して車両に搭載される車両用搭載物の意匠を検討するための意匠検討装置であって、縁部が前記車両用搭載物の一部の表面に沿って切欠かれた反射鏡と、その反射鏡を保持するための保持フレームと、その保持フレームを上下方向に移動可能に支持する支持機構と、その支持機構が配設されるベースと、そのベースの下部に付設された複数の車輪とを備えることを特徴とする。
【０００７】
また、請求項２に記載の意匠検討装置は、請求項１に記載の意匠検討装置において、前記保持フレームが、前記反射鏡を保持した状態で揺動させる揺動機構を有することを特徴とする。
【０００８】
また、請求項３に記載の意匠検討装置は、請求項１または請求項２に記載の意匠検討装置において、前記車両用搭載物が、車両用シートであることを特徴とする。
【０００９】
また、請求項４に記載の意匠検討装置は、請求項３に記載の意匠検討装置において、当該意匠検討装置が、前記反射鏡と前記保持フレームと前記支持機構と前記ベースと前記複数の車輪との各々を１対備え、１対の反射鏡の一方が、それの縁部が車両用シートの車両前方側の部分の表面に沿って切欠かれた形状とされるとともに、１対の反射鏡の他方が、それの縁部が車両用シートの車両後方側の部分の表面に沿って切欠かれた形状とされることを特徴とする。
【発明の効果】
【００１０】
請求項１に記載の意匠検討装置では、反射鏡を保持する保持フレームが、支持機構によって、上下方向に移動可能に支持されており、その支持機構は、複数の車輪を有するベース上に配設されている。これにより、意匠検討装置を容易に移動させるとともに、反射鏡の上下方向の位置を容易に調整することが可能となっている。このため、例えば、意匠の検討対象が車両用シートである場合には、車両用シートのヒップポイント，トルソー角等に合わせて、反射鏡の位置を調整することが可能となり、請求項１に記載の意匠検討装置によって、あらゆる種類の車両用シートの検討を行うことが可能となる。また、支持機構による反射鏡の上下方向の位置調整および、車輪の転動による意匠検討装置の位置調整によって、反射鏡の車両用搭載物への取り付けを標準化することが可能となり、誰でも反射鏡を車両用搭載物に適切に取り付けることが可能となる。さらに言えば、支持機構による反射鏡の上下方向の位置調整および、車輪の転動による意匠検討装置の位置調整は、一人でも行うことが可能であり、人手をかけずに、意匠の検討作業を行うことが可能となる。
【００１１】
また、請求項２に記載の意匠検討装置では、反射鏡を揺動させることが可能となっている。このため、意匠検討装置による車両用搭載物の意匠検討中に、反射鏡を揺動させて、車両用搭載物から一時的にずらすことで、車両用搭載物に対して造形作業等を行うことが可能となり、非常に便利である。
【００１２】
また、請求項３に記載の意匠検討装置では、車両用搭載物が車両用シートに限定されている。これにより、車両用シートの意匠の検討作業を効率的に行うことが可能となる。
【００１３】
また、請求項４に記載の意匠検討装置は、車両用シートの前方側に対応するフロント用の意匠検討装置と、車両用シートの後方側に対応するリア用の意匠検討装置とによって構成されている。これにより、車両用シートの前方及び後方の意匠全体を検討することが可能となる。
【図面の簡単な説明】
【００１４】
【図１】実施例の意匠検討装置および、意匠検討装置が取り付けられた車両用シートのクレーモデルを示す側面図である。
【図２】図１に示す意匠検討装置を構成するフロント用検討装置を側方からの視点において示す側面図である。
【図３】図１に示す意匠検討装置を構成するフロント用検討装置を前方からの視点において示す斜視図である。
【図４】図１に示す意匠検討装置を構成するフロント用検討装置を後方からの視点において示す斜視図である。
【図５】図１に示す意匠検討装置を構成するリア用検討装置を側方からの視点において示す側面図である。
【図６】図１に示す意匠検討装置を構成するリア用検討装置を前方からの視点において示す斜視図である。
【図７】図１に示す意匠検討装置を構成するリア用検討装置を後方からの視点において示す斜視図である。
【図８】車両用シートへのフロント用検討装置およびリア用検討装置の取り付け手順を概略的に示す図である。
【発明を実施するための形態】
【００１５】
以下、本発明を実施するための形態として、本発明の実施例を、図を参照しつつ詳しく説明する。  
【００１６】
＜意匠検討装置の構成＞
図１に、本発明の実施例の意匠検討装置１０を示す。意匠検討装置１０は、開発段階の車両用シート１２の意匠、つまり、形状、模様、色彩等の形態を検討するためのものである。このため、意匠検討装置１０によって検討される車両用シート１２は、クレー、発泡スチロール等により造形されることが多く、クレー、発泡スチロール等により造形されるクレーモデル等は、数多くのデザインを検討するべく、シートセンターを中心に左右で異なる意匠で造形される場合がある。このような場合に、意匠検討装置１０を車両用シート１２のシートセンターに沿って配置させ、意匠検討装置１０に映る鏡像を利用することで、車両用シート１２の意匠全体を検討することが可能となっている。ちなみに、車両用シート１２のシートセンターとは、車両用シート１２の幅方向での中央であり、車両用シート１２の幅方向での中央を含む車両用シート１２の表面に沿った仮想のセンターラインである。
【００１７】
意匠検討装置１０は、車両用シート１２の前方側の部分のシートセンターに沿って配置させられるフロント用検討装置２０と、車両用シート１２の後方側の部分のシートセンターに沿って配置させられるリア用検討装置２２とによって構成されており、それら２台の検討装置２０，２２を、車両用シート１２を前後方向から挟み込むように配置させることで、車両用シート１２の前方及び後方の意匠全体を検討することが可能となっている。
【００１８】
フロント用検討装置２０は、図２ないし図４に示すように、概して矩形のベースフレーム３０と、そのベースフレーム３０の長手方向での端部に立設された長板形状の支持フレーム３２と、その支持フレーム３２に上下方向に移動可能に支持された保持フレーム３４と、その保持フレーム３４に保持されたフロント用反射鏡３６と、ベースフレーム３０の下面に付設された複数の車輪３８とを備えている。なお、図３および図４に示すフロント用検討装置２０では、フロント用反射鏡３６が省略されている。
【００１９】
フロント用反射鏡３６は、両面において鏡面とされており、それの縁部が、車両用シート１２の前方側の部分の表面に沿って切欠かれた形状とされている。そのフロント用反射鏡３６を保持する保持フレーム３４は、概してＬ字形状のスライドフレーム４０と、そのスライドフレーム４０の上端部に揺動可能に連結された揺動フレーム４２とから構成されており、フロント用反射鏡３６は、複数の固定具４４によって揺動フレーム４２に固定されている。これにより、フロント用反射鏡３６をスライドフレーム４０に対して揺動させることが可能となっている。なお、揺動フレーム４２には、把持部４３が取り付けられており、操作者が揺動フレーム４２を操作し易くなっている。また、固定具４４は、ネジの締結によりフロント用反射鏡３６を揺動フレーム４２に固定する構造とされており、ネジを外すことにより揺動フレーム４２からフロント用反射鏡３６を取り外すことが可能となっている。
【００２０】
揺動フレーム４２に固定されたフロント用反射鏡３６の下端部には、磁石４６が設けられており、揺動フレーム４２が車両用シート１２に向かう方向（図１での時計回りの方向）に揺動されることで、その磁石４６が、スライドフレーム４０に設けられた磁石４８に吸着するようになっている。そして、２つの磁石４６，４８が吸着することで、フロント用反射鏡３６は概してＬ字形状のスライドフレーム４０に支持され、車両用シート１２に向かう方向への揺動が制限されている。なお、スライドフレーム４０と揺動フレーム４２との連結部には、ロック機構５０が設けられており、揺動フレーム４２を任意の角度においてロックすることが可能となっている。
【００２１】
また、ベースフレーム３０に立設された支持フレーム３２には、上下方向に延びるようにＴ型スロット（図示省略）が形成されており、そのＴ型スロットに、保持フレーム３４のスライドフレーム４０に取り付けられた複数のスロットナット（図示省略）が嵌合されている。これにより、スライドフレーム４０が上下方向にスライド可能とされており、保持フレーム３４に保持されたフロント用反射鏡３６を上下方向に移動させることが可能とされている。なお、スライドフレーム４０には、ロック機構５２が設けられており、スライドフレーム４０、つまり、フロント用反射鏡３６を上下方向の任意の位置においてロックすることが可能となっている。
【００２２】
また、ベースフレーム３０には、それの長手方向に延びるように溝６０が形成されており、その溝６０には、当接板６２がスライド可能に嵌合されている。そして、当接板６２には、ロック機構（図示省略）が設けられており、当接板６２のベースフレーム３０の長手方向へのスライドを任意の位置においてロックすることが可能となっている。
【００２３】
なお、支持フレーム３２の上端部には、フロント用検討装置２０の移動時に操作者が把持するためのハンドル６６が取り付けられており、支持フレーム３２の下端部には、フロント用検討装置２０を任意の位置においてロックするためのストッパ機構６８が取り付けられている。
【００２４】
また、リア用検討装置２２は、リア用反射鏡７０および、そのリア用反射鏡７０を保持する保持フレーム７２を除き、フロント用検討装置２０と略同じであり、フロント用検討装置２０と同じ構成要素については、同じ符号を用いて説明を省略あるいは簡略に行うものとする。
【００２５】
リア用検討装置２２のリア用反射鏡７０は、フロント用反射鏡３６と同様に、両面において鏡面とされており、図１に示すように、それの縁部が、車両用シート１２の後方側の部分の表面に沿って切欠かれた形状とされている。そのリア用反射鏡７０を保持する保持フレーム７２は、図５ないし図７に示すように、概してコの字形状とされており、リア用反射鏡７０の上縁部を保持するフレーム上部７４と、リア用反射鏡７０の下縁部を保持するフレーム下部７６と、リア用反射鏡７０の側縁部を保持するフレーム本体部７８とに区分けされる。なお、リア用反射鏡７０は、フロント用反射鏡３６と同様に、複数の固定具４４によって、保持フレーム７２に固定されており、ネジの取り外しによりリア用反射鏡７０を保持フレーム７２から取り外すことが可能となっている。なお、図６および図７に示すリア用検討装置２２では、リア用反射鏡７０が省略されている。
【００２６】
また、フレーム本体部７８には、複数のスロットナット（図示省略）が設けられており、支持フレーム３２に形成されたＴ型スロット（図示省略）に嵌合されている。これにより、保持フレーム７２が上下方向にスライド可能とされており、保持フレーム７２に保持されたリア用反射鏡７０を上下方向に移動させることが可能とされている。なお、フレーム本体部７８には、ロック機構７９が設けられており、フレーム本体部７８、つまり、リア用反射鏡７０を上下方向の任意の位置においてロックすることが可能となっている。
【００２７】
また、リア用検討装置２２のベースフレーム３０および支持フレーム３２には、フロント用検討装置２０と同様に、当接板６２，ハンドル６６，ストッパ機構６８が設けられている。
【００２８】
なお、意匠検討装置１０によって検討される車両用シート１２は、図１に示すように、シートクッション８０とシートバック８２とヘッドレスト８４とシールド８５とによって構成されており、台座８６に取り付けられている。その台座８６の下面には、複数の車輪８８が付設されており、車両用シート１２を容易に移動させることが可能となっている。なお、シートクッション８０とシートバック８２とヘッドレスト８４とは、シートセンターに沿った断面図とされている。
【００２９】
＜意匠検討装置の車両用シートへの装着＞
上述したように構成された意匠検討装置１０によって、車両用シート１２を検討する際には、フロント用検討装置２０とリア用検討装置２２とが、図１に示すように、車両用シート１２を前後方向から挟み込むように装着される。以下に、各検討装置２０，２２の車両用シート１２への装着手順について、詳しく説明する。
【００３０】
各検討装置２０，２２の車両用シート１２への装着は、いずれの検討装置２０，２２から装着してもよいが、ここでは、フロント用検討装置２０の車両用シート１２への装着手順から説明する。まず、操作者は、保持フレーム３４を上方にスライドさせ、フロント用反射鏡３６の切欠かれた箇所を、車両用シート１２のシートクッション８０より上方に位置させる。詳しくは、フロント用反射鏡３６のシートクッション８０に対応して切欠かれたクッション切欠部９０と、シートバック８２に対応して切欠かれたバック切欠部９２との連続部が、図８に示すように、シートクッション８０の上面より上方に位置するように、保持フレーム３４を上方にスライドさせる。
【００３１】
次に、保持フレーム３４を上方にスライドさせた状態で、フロント用検討装置２０を車両用シート１２に向かって移動させ、クッション切欠部９０の前端とシートクッション８０の前端とを、車両用シート１２の前後方向において一致させる。そして、その位置において、フロント用検討装置２０を、ストッパ機構６８によって固定する。さらに、車両用シート１２が取り付けられている台座８６を固定するべく、当接板６２を台座８６に向かってスライドさせ、台座８６に当接した状態で固定する。
【００３２】
続いて、その位置において、保持フレーム３４を下方にスライドさせ、フロント用反射鏡３６を車両用シート１２の前方側の表面に沿うように配置させる。なお、フロント用反射鏡３６と車両用シート１２とが接触しないように、保持フレーム３４をスライドさせる必要があり、フロント用反射鏡３６と車両用シート１２との間の距離が１０〜２０ｍｍ程度となるように、保持フレーム３４をスライドさせることが望ましい。そして、保持フレーム３４を、その位置においてロック機構５２によってロックすることで、フロント用反射鏡３６の上下方向の位置が規定される。これにより、フロント用検討装置２０が、車両用シート１２に装着される。
【００３３】
次に、リア用検討装置２２を車両用シート１２に装着する際には、操作者は、リア用反射鏡７０の切欠かれた箇所と、車両用シート１２の後方側の表面の形状とが一致するように、保持フレーム７２を上下方向にスライドさせて調整する。そして、その位置において、保持フレーム７２をロック機構７９によってロックすることで、リア用反射鏡７０の上下方向の位置が規定される。
【００３４】
続いて、リア用検討装置２２を車両用シート１２の後方側に向かって移動させる。この際、リア用反射鏡７０と車両用シート１２とが接触しないように、リア用検討装置２２を移動させる必要があり、リア用反射鏡７０と車両用シート１２との間の距離が１０〜２０ｍｍ程度となるように、リア用検討装置２２を移動させることが望ましい。そして、リア用反射鏡７０が車両用シート１２の後方側の表面に沿った状態で、リア用検討装置２２を、ストッパ機構６８によって固定する。さらに、車両用シート１２が取り付けられている台座８６を固定するべく、当接板６２を台座８６に向かってスライドさせ、台座８６に当接した状態で固定する。これにより、リア用検討装置２２が、車両用シート１２に装着される。なお、各検討装置２０，２２において、ロック機構５２，７９，ストッパ機構６８等によるフレーム等の固定は、上述したタイミングと異なるタイミングで行うことが可能である。
【００３５】
そして、車両用シート１２に装着されたフロント用検討装置２０とリア用検討装置２２とを、図１に示すように、各保持フレーム３４，７２の上端部において、連結機構９６によって連結することで、意匠検討装置１０が車両用シート１２に装着される。
【００３６】
このように、意匠検討装置１０では、フロント用検討装置２０およびリア用検討装置２２を容易に移動させるとともに、車両用シートを映すフロント用反射鏡３６およびリア用反射鏡７０の上下方向の位置を容易に調整することが可能となっている。このため、意匠の検討対象となる車両用シートのヒップポイント，トルソー角（水平面に対するシートバックの角度）等に合わせて、フロント用反射鏡３６およびリア用反射鏡７０の位置を調整することが可能となり、意匠検討装置１０によって、あらゆる種類の車両用シートの検討を行うことが可能となる。
【００３７】
また、意匠検討装置１０のフロント用検討装置２０では、フロント用反射鏡３６を揺動させることが可能となっている。このため、意匠検討装置１０による車両用シート１２の意匠検討中に、フロント用反射鏡３６を車両用シート１２から一時的にずらし、車両用シートの造形作業等を行うことが可能となっている。具体的には、まず、連結機構９６を取り外し、ロック機構５０を解除する。これにより、揺動フレーム４２を揺動させることが可能となる。そして、揺動フレーム４２を車両用シート１２から離れる方向に揺動させることで、フロント用反射鏡３６を車両用シート１２からずらすことが可能となり、車両用シート１２に対する造形作業等を行うことが可能となる。
【００３８】
また、揺動フレーム４２を上方に揺動させた状態で、フロント用検討装置２０を車両用シート１２から離間させることで、車両用シート１２に対する造形作業等が行い易くなる。なお、作業後に、再度、意匠検討を行う場合には、フロント用反射鏡３６の上下方向の位置の調整を行うことなく、揺動フレーム４２を車両用シート１２に向かって揺動させることで、フロント用検討装置２０を車両用シート１２に再装着することが可能であり、便利である。
【００３９】
ちなみに、上記実施例において、意匠検討装置１０は、意匠検討装置の一例であり、その意匠検討装置１０を構成するベースフレーム３０，支持フレーム３２，保持フレーム３４および保持フレーム７２，フロント用反射鏡３６およびリア用反射鏡７０，車輪３８，揺動フレーム４２は、ベース，支持機構，保持フレーム，反射鏡，車輪，揺動機構の一例である。また、車両用シート１２は、車両用搭載物の一例である。
【００４０】
なお、本発明は、上記実施例に限定されるものではなく、当業者の知識に基づいて種々の変更、改良を施した種々の態様で実施することができる。具体的には、例えば、上記実施例において、意匠検討装置１０は、フロント用検討装置２０とリア用検討装置２２とによって構成されているが、フロント用検討装置２０とリア用検討装置２２とのいずれか一方のみによって構成されてもよい。
【００４１】
また、上記実施例では、本発明の意匠検討装置によって検討される車両用搭載物として、車両用シートが採用されているが、対称的な形状を有するものであれば、種々のものを採用することが可能である。具体的には、例えば、バンパー，インストルメンタルパネル，ステアリングホイール等、種々のものを採用することが可能である。
【００４２】
また、上記実施例では、反射鏡を保持する保持フレームを上下方向に移動させるための機構として、スライド機構が採用されているが、種々の構造の機構を採用することが可能である。また、各機構は手動で作動するように構成されているが、電磁モータ等を採用し、電動で作動するように構成されてもよい。
【００４３】
また、上記実施例では、意匠検討装置は複数の車輪により移動可能とされているが、コロ、滑走部材等を採用し、移動させてもよい。
【符号の説明】
【００４４】
１０：意匠検討装置
１２：車両用シート（車両用搭載物）
３０：ベースフレーム（ベース）
３２：支持フレーム（支持機構）
３４：保持フレーム
３６：フロント用反射鏡（反射鏡）
３８：車輪
４２：揺動フレーム（揺動機構）
７０：リア用反射鏡（反射鏡）
７２：保持フレーム
【図１】
0005831364.tif 000002
【図２】
0005831364.tif 000003
【図３】
0005831364.tif 000004
【図４】
0005831364.tif 000005
【図５】
0005831364.tif 000006
【図６】
0005831364.tif 000007
【図７】
0005831364.tif 000008
【図８】
0005831364.tif 000009